(57)【特許請求の範囲】
【請求項１】
利用者が凭れ掛かる荷重によって傾斜角度が可変とされる椅子の背凭れ部に設けられたマッサージ器であって、
前記背凭れ部と利用者の肩甲骨との間に位置する器具本体と、
前記器具本体に設けられて利用者の左右方向に位置する一対の移動パッドと、
利用者が前記背凭れ部に凭れ掛かった際の荷重によって前記一対の移動パッドが互いに離反するように移動させる移動手段と、
を備え、
前記一対の移動パッドは、
クッション性を備えるパッド部と、
前記パッド部を支持する硬質のベース部と、
を備え、
前記移動手段は、
前記一対の移動パッドが利用者から加わる負荷によって互いに離反する方向に移動する移動方向に薄肉傾斜したガイド部と、
前記一対の移動パッドが互いに接近する方向に付勢設定された付勢部材と、
を備える
ことを特徴とするマッサージ器。
【請求項２】
請求項１に記載のマッサージ器において、
前記一対の移動パッドは、
前記移動手段によって互いに離反するように移動させられる際に利用者の肩甲骨の移動を補助するように引っ掛かる段差状の引掛部を一体に備える
ことを特徴とするマッサージ器。
【請求項３】
請求項１又は請求項２に記載のマッサージ器において、
前記器具本体は、
略逆Ｕの字状を呈する一対のステーの一端に保持されており、
前記ステーは、
前記器具本体を高さ方向に変位可能に保持している
ことを特徴とするマッサージ器。
【請求項４】
請求項１に記載のマッサージ器は、
前記一対の移動パッドを除く少なくとも前記器具本体の一部が椅子の背凭れ部に埋設されている
ことを特徴とするマッサージ器。
【発明の詳細な説明】
【技術分野】
【０００１】
本発明は、マッサージ器に係わり、特に、人体背面の肩甲骨を中心としたマッサージを行うようにしたマッサージ器に関する。
【背景技術】
【０００２】
従来から、椅子の背凭れ部に装着可能とされ、椅子に腰かけた利用者の背中を押圧する指圧器が知られている（例えば、特許文献１，２参照）。
【先行技術文献】
【特許文献】
【０００３】
【特許文献１】特開２００３−３２５６３７号公報
【特許文献１】特開２００３−２９９７１１号公報
【発明の概要】
【発明が解決しようとする課題】
【０００４】
しかしながら、上述した指圧器にあっては、人体背面を押圧することでツボ押し効果を奏するものであり、人体背面の肩甲骨を対象として、その肩甲骨を積極的に可動させるものではなかった。
【０００５】
一方、近年の作業環境の変化に伴い、姿勢が前のめりになり易いパーソナルコンピュータ作業が増えつつある。
【０００６】
そこで、このような前のめり姿勢などの不良姿勢は肩甲骨周辺の筋肉に負担をかけてしまい、筋肉の緊張や血行不良を引き起こすことで肩こりの原因にもなっている。
【０００７】
本発明の目的は、座りながらにして肩甲骨を積極的に可動させ、肩甲骨周辺の筋肉にマッサージ効果を与えることができるマッサージ器を提供することにある。
【課題を解決するための手段】
【０００８】
上記目的を達成するために、本願発明は、利用者が凭れ掛かる荷重によって傾斜角度が可変とされる椅子の背凭れ部に設けられたマッサージ器であって、前記背凭れ部と利用者の肩甲骨との間に位置する器具本体と、前記器具本体に設けられて利用者の左右方向に位置する一対の移動パッドと、利用者が前記背凭れ部に凭れ掛かった際の荷重によって前記一対の移動パッドが互いに離反するように移動させる移動手段と、を備え、前記一対の移動パッドは、クッション性を備えるパッド部と、前記パッド部を支持する硬質のベース部と、を備え、前記移動手段は、前記一対の移動パッドが利用者から加わる負荷によって互いに離反する方向に移動する移動方向に薄肉傾斜したガイド部と、前記一対の移動パッドが互いに接近する方向に付勢設定された付勢部材と、を備える。
【０００９】
マッサージ器は、椅子の背凭れ部に設けられており、椅子の種類は背凭れ部を有しており、利用者が凭れ掛かる荷重によって傾斜角度がある程度可変なものであれば限定されない。
【００１０】
背凭れ部に設けられたマッサージ器は、背凭れ部と利用者の肩甲骨との間に位置する器具本体を備える。その器具本体には、利用者の左右方向に位置する一対の移動パッドと、利用者が背凭れ部に凭れ掛かった際の荷重によって一対の移動パッドが互いに離反するように移動させる移動手段と、を備えている。
【００１１】
移動パッドは、左右の肩甲骨に独立して当接しており、移動手段によって互いに離反するように移動することで肩甲骨を一体的に追従させ、肩甲骨の動きを広げるストレッチを行うことができる。また、背凭れ部に凭れ掛かることで前かがみ姿勢から適切なストレッチ姿勢を維持することができる。
【００１２】
これにより、肩甲骨周辺の筋肉にマッサージ効果を与えることができ、前のめり姿勢などの不良姿勢によって肩甲骨周辺の筋肉の緊張や血行不良に起因する肩こりを解消することができる。
【発明の効果】
【００１３】
本発明によれば、座りながらにして肩甲骨を積極的に可動させ、肩甲骨周辺の筋肉にマッサージ効果を与えることができる。
【図面の簡単な説明】
【００１４】
【図１】本発明の一実施形態に係るマッサージ器を示し、（Ａ）は使用状態の一例の説明図、（Ｂ）はマッサージ器の要部の正面図である。
【図２】マッサージ器の側面図である。
【図３】（Ａ）はマッサージ器の要部の縦断面図、（Ｂ）は移動パッドが定位置にあるときの要部の平断面図、（Ｃ）は移動パッドが移動位置にあるときの要部の平断面図である。
【図４】（Ａ）は移動パッドの段差状の引掛部の位置を示す移動パッド（パッド部）の正面図、（Ｂ）は移動パッド（パッド部）の段差状の引掛部と肩甲骨との関係を示す説明図である。
【図５】移動パッド（パッド部）と肩甲骨との位置関係を示し、（Ａ）は移動パッド（パッド部）が定位置にあるときの説明図、（Ｂ）は移動パッド（パッド部）が移動位置にあるときの説明図である。
【図６】マッサージ器のステーを調整可能とした例を示す要部の側面図である。
【図７】マッサージ器のステーを調整可能とした他の例を示す要部の側面図である。
【図８】マッサージ器を背凭れ付きクッションに適用した例の側面図である。
【図９】マッサージ器を座椅子に適用した例の側面図である。
【発明を実施するための形態】
【００１５】
次に、本発明の一実施形態に係るマッサージ器について、図面を参照して説明する。
なお、以下に示す実施形態は本発明のマッサージ器における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００１６】
図１（Ａ）に示すように、事務用の椅子１には、マッサージ器１０が着脱可能に設けられている。
【００１７】
椅子１は、汎用品であり、キャスター付きの脚部２の上端に座部３が水平面内で回転可能に設けられている。なお、脚部２は公知の昇降機構（図示せず）によって座部３の高さを変更可能としている。座部３には、例えば、板ばね状の連結部４を介して背凭れ部５が設けられている。
【００１８】
板ばね状の連結部４は、利用者Ｐが背凭れ部５に凭れ掛かる際に発生する荷重に応じて背凭れ部５の傾斜角度を可変とし、荷重が無くなると背凭れ部５を元の状態へと復帰させるように付勢設定されている。
【００１９】
マッサージ器１０は、図１（Ｂ）及び図２に示すように、金属又は硬質樹脂等によって保形性が確保された略逆Ｕの字状を呈する一対のステー１１と、ステー１１の一端に設けられた器具本体１２と、を備えている。器具本体１２はステー１１を背凭れ部５の上縁部５ａに引っ掛けた際に背凭れ部５と利用者Ｐの肩甲骨（後述する）との間に位置するようになっている。
【００２０】
図２に示すように、ステー１１の他端と器具本体１２の裏面下方とには、例えば、伸縮性を備えるベルト１３の両端が接続されている。このベルト１３は、例えば、ステー１１の他端に設けられた雌雄一方の面ファスナ１１ａとベルト１３の自由端に設けられた雌雄他方の面ファスナ１３ａとで背凭れ部５の背面側で着脱可能に接続される。これにより、マッサージ器１０を背凭れ部５に装着した際のズレや離脱が抑制されている。なお、ベルト１３は、図中において適宜図示は省略する。
【００２１】
図１（Ｂ）及び図３に示すように、器具本体１２は、正面側に幅方向（使用状態における高さ方向と直交する利用者Ｐの左右方向に相当）に長径な長穴１４ａを形成した樹脂性又は金属製のカバー１４と、利用者Ｐの左右方向に位置する一対の移動パッド１５と、利用者Ｐが背凭れ部５に凭れ掛かった際の荷重によって一対の移動パッド１５が互いに離反するように移動させる移動手段としての移動部１６と、を備えている。
【００２２】
一対の移動パッド１５は、クッション性を備えるパッド部１７と、パッド部１７を支持する硬質のベース部１８と、を備える。
【００２３】
パッド部１７は、この例では意匠性を確保しつつ利用者Ｐの肩甲骨の全体と当接するように正面視翼状に形成されており、移動部１６によって互いに離反するように移動させられる際に利用者Ｐの肩甲骨の移動を補助するように引っ掛かる段差状の引掛部１７ａ，１７ｂを一体に備える。
【００２４】
具体的に、引掛部１７ａ，１７ｂは、図４（Ａ）のハッチング領域で示すように、下側の引掛部１７ａと上側の引掛部１７ｂとに分かれている。これにより、図４（Ｂ）のハッチング領域で示すように、利用者Ｐの肩甲骨Ｂのうち、下側頂点付近の下側から内側を取り巻くように引っ掛かるようになっている。
【００２５】
移動部１６は、一対の移動パッド１５が利用者Ｐから加わる負荷によって互いに離反する方向に移動する移動方向に向かうほど薄肉化することで傾斜したガイド部１９と、一対の移動パッド１５が互いに接近する方向に付勢設定された付勢部材としてのコイルスバネ２０と、を備える。
【００２６】
ところで、ステー１１は、例えば、図６に示すように、カバー１４にステーホルダ２１を一体に設け、このステーホルダ２１に一端側を支持させることで昇降可能とすることができ、椅子１の背凭れ部５の高さに応じて利用者Ｐの肩甲骨Ｂとの相対位置を調整することも可能である。
【００２７】
このように、マッサージ器１０の器具本体１２は、略逆Ｕの字状を呈する一対のステー１１の一端に保持されており、ステー１１は、器具本体１２を高さ方向に変位可能に保持する構成とすることができる。
【００２８】
また、背凭れ部５が低いような椅子１にマッサージ器１０を適用する場合、例えば、図７に示すように、背凭れ部５の高さを補うと同時に器具本体１２の機能性を担保し得る程度、具体的には、背凭れ部５と同等の強度及びクッション性を有する硬質枕２２に器具本体１２を固定するとともにステー１１を昇降可能に設けてもよい。なお、ステー１１は、摘まみ２３によって外部から昇降操作を行うことができる。
【００２９】
上記の構成において、椅子１の背凭れ部５の上縁部５ａにステー１１を引っ掛けるとともに、ベルト１３で背凭れ部５の下方側を表面側から裏面側へと回した状態で面ファスナ１１ａ及び面ファスナ１３ａを係合させて背凭れ部５にマッサージ器１０を固定する。
【００３０】
この状態で、利用者Ｐが椅子１に座り、そのまま背凭れ部５に凭れ掛かると、利用者Ｐから背凭れ部５に加わる荷重によって背凭れ部５が傾動すると同時に、ガイド部１９の傾斜に案内されて一対の移動パッド１５が互いに離反するように移動する。
【００３１】
そして、この一対の移動パッド１５が互いに離反するように移動すると、利用者Ｐの肩甲骨Ｂは、図５（Ａ）に示すように、両手を下げた位置から、図５（Ｂ）に示すように、両手を挙げた位置へと移動するのと同等の動きを促進することができる。なお、利用者Ｐが背凭れ部５に寄り掛かると同時に図５に示すような腕の動きをするか否かは任意であるが、筋肉が緊張しているようなときには腕を動かす方がよい。
【００３２】
これにより、利用者Ｐは、例えば、前のめり姿勢などの不良姿勢に起因して、肩甲骨Ｂの周辺の筋肉に負担をかけてしまい、筋肉の緊張や血行不良を引き起こす不具合を解消する手立てとすることができる。
【００３３】
このように、本発明のマッサージ器１０は、利用者Ｐが凭れ掛かる荷重によって傾斜角度が可変とされる椅子１の背凭れ部５に設けられたマッサージ器１０であって、背凭れ部５と利用者Ｐの肩甲骨Ｂとの間に位置する器具本体１２と、器具本体１２に設けられて利用者Ｐの左右方向に位置する一対の移動パッド１５と、利用者Ｐが背凭れ部５に凭れ掛かった際の荷重によって一対の移動パッド１５が互いに離反するように移動させる移動手段としての移動部１６と、を備える。
【００３４】
移動パッド１５は、左右の肩甲骨Ｂに独立して当接しており、移動部１６によって互いに離反するように移動することで肩甲骨Ｂを一体的に追従させ、肩甲骨Ｂの動きを広げるストレッチを行うことができる。また、利用者Ｐは、背凭れ部５に凭れ掛かることで前かがみ姿勢から適切なストレッチ姿勢を維持することができる。これにより、座りながらにして肩甲骨Ｂを積極的に可動させ、肩甲骨Ｂの周辺の筋肉にマッサージ効果を与えることができる。
【００３５】
また、一対の移動パッド１５は、移動部１６によって互いに離反するように移動させられる際に利用者Ｐの肩甲骨Ｂの移動を補助するように引っ掛かる段差状の引掛部１７ａ，１７ｂを一体に備えることにより、利用者Ｐの肩甲骨Ｂの移動を容易に行うことができる。
【００３６】
さらに、一対の移動パッド１５は、クッション性を備えるパッド部１７と、パッド部１７を支持する硬質のベース部１８と、を備え、移動部１６は、一対の移動パッド１５が利用者Ｐから加わる負荷によって互いに離反する方向に移動する移動方向に薄肉傾斜したガイド部１９と、一対の移動パッド１５が互いに接近する方向に付勢設定された付勢部材としてのコイルスバネ２０と、を備えることにより、利用者Ｐの体形や体格の相違に対する適用性を向上するとともに、簡素な構成で移動パッド１５を移動させることができる。
【００３７】
以上、添付図面を参照しながら本発明の実施の形態について詳細に説明した。しかしながら、本発明の技術的思想の範囲は、ここで説明した実施の形態に限定されないことは言うまでもない。本発明の属する技術の分野における通常の知識を有する者であれば、特許請求の範囲に記載された本発明の技術的思想の範囲内において、様々な変更や修正、組み合わせなどを行うことに想到できることは明らかである。したがって、これらの変更や修正、組み合わせなどの後の技術も、当然に本発明の技術的思想の範囲に属するものである。
【００３８】
（１）背凭れ付きクッション
図８は、マッサージ器３０を椅子としての背凭れ付きクッション６に適用した場合を示す。この背凭れ付きクッション６は、例えば、綿やスポンジ等のクッション体を布製カバー（共に図示せず）等で覆ったもので、必要に応じて紐等で椅子１に固定することができる。
【００３９】
背凭れ付きクッション６の背凭れ部７には、マッサージ器３０が設けられている。マッサージ器３０は、上述したマッサージ器１０のステー１１及びベルト１３を廃止し、器具本体１２のみの構成としている。
【００４０】
器具本体１２は、一対の移動パッド１５を除く少なくとも器具本体１２の一部であるカバー１４が背凭れ付きクッション６の背凭れ部７に埋設されている。なお、器具本体１２の構成は上記と同一であるため、ここではその説明は省略する。
【００４１】
（２）座椅子
図９は、マッサージ器４０を椅子としての座椅子８の背凭れ部９に適用した場合を示す。座椅子８の実質的な構成は汎用品と同一のものを用いることができる。そして、座椅子８の背凭れ部９には、マッサージ器４０が設けられている。マッサージ器４０は、上述したマッサージ器１０のステー１１及びベルト１３を廃止し、器具本体１２のみの構成としている。
【００４２】
器具本体１２は、一対の移動パッド１５を除く少なくとも器具本体１２の一部であるカバー１４が座椅子８の背凭れ部９に埋設されている。なお、器具本体１２の構成は上記と同一であるため、ここではその説明は省略する。
【００４３】
（３）移動手段
また、詳細な図示はしないが、移動手段としての移動部１６には、背凭れ部５の傾斜角度を検出する傾斜センサと、この傾斜センサの検出角度に応じて駆動して移動パッド１５を移動させるモータ及びギヤ（例えば、ラック・ピニオン）或いはソレノイド等を備えた駆動部と、で電動式に構成することも可能である。
【００４４】
同様に、移動手段としての移動部１６には、利用者Ｐから背凭れ部５に加わる荷重を検出する荷重センサと、この荷重センサの検出荷重に応じて駆動して移動パッドを移動させるモータ及びギヤ（例えば、ラック・ピニオン）或いはソレノイド等を備えた駆動部と、で電動式に構成することも可能である。
【００４５】
（４）その他
上記実施の形態では、付勢部材としてコイルスバネ２０の場合で示したが、例えば、ゼンマイバネ等を用いてもよい。また、上述した各材質等は、限定的なものではなく、その機能を逸脱しない範囲で適宜のものを用いることができる。さらに、ベース部１８又はガイド部１９の一方に、一対の移動パッド１５の移動を容易とするとともに移動方向を規定し易くするためのローラベアリングを埋設してもよい。
【産業上の利用可能性】
【００４６】
以上説明したように、本発明に係るマッサージ器は、座りながらにして肩甲骨を積極的に可動させ、肩甲骨周辺の筋肉にマッサージ効果を与えることができるという効果を有し、特に、人体背面の肩甲骨を中心としたマッサージを行うようにしたマッサージ器全般に有用である。
【符号の説明】
【００４７】
１        椅子
２        脚部
３        座部
４        連結部
５        背凭れ部
５ａ      上縁部
６        背凭れ付きクッション
７        背凭れ部
８        座椅子
９        背凭れ部
１０        マッサージ器
１１        ステー
１１ａ    面ファスナ
１２        器具本体
１３        ベルト
１３ａ    面ファスナ
１４        カバー
１４ａ    長穴
１５        移動パッド
１６        移動部
１７        パッド部
１７ａ    引掛部（下側）
１７ｂ    引掛部（上側）
１８        ベース部
１９        ガイド部
２０        コイルスバネ
２１        ステーホルダ
２２        硬質枕
３０        マッサージ器
４０        マッサージ器
Ｂ        肩甲骨
Ｐ        利用者
【要約】
【課題】座りながらにして肩甲骨を積極的に可動させ、肩甲骨周辺の筋肉にマッサージ効果を与えることができるマッサージ器を提供する。
【解決手段】利用者Ｐが凭れ掛かる荷重によって傾斜角度が可変とされる椅子１の背凭れ部５に設けられたマッサージ器１０であって、背凭れ部５と利用者Ｐの肩甲骨との間に位置する器具本体１２と、器具本体１２に設けられて利用者Ｐの左右方向に位置する一対の移動パッド１５と、利用者Ｐが背凭れ部５に凭れ掛かった際の荷重によって一対の移動パッド１５が互いに離反するように移動させる移動手段としての移動部と、を備える。
【選択図】図１【図１】
0006975499.tif 000002
【図２】
0006975499.tif 000003
【図３】
0006975499.tif 000004
【図４】
0006975499.tif 000005
【図５】
0006975499.tif 000006
【図６】
0006975499.tif 000007
【図７】
0006975499.tif 000008
【図８】
0006975499.tif 000009
【図９】
0006975499.tif 000010